(57)【要約】【課題】現在のフレームの映像の明るさに応じてガンマ基準電圧を段階的に可変させることのできる有機発光ダイオード表示素子及びその駆動方法を得る。【解決手段】入力された現在のフレームの映像データを用いて各ピクセルの最大輝度値を算出するための輝度検出部１２１；輝度検出部１２１によって検出された各ピクセルの最大輝度値を全部加算するための加算部１２２；加算部１２２によって加算された最大輝度値の加算値を用いて現在のフレームの平均輝度値を算出するための平均値算出部１２３；所定のガンマ基準電圧加重値の中から、算出された平均輝度値に対応して設定されたガンマ基準電圧加重値を算出するためのガンマ加重値算出部１２４；及びガンマ加重値算出部１２４によって算出されたガンマ基準電圧加重値に応じてガンマ基準電圧を段階的に可変させるためのガンマ基準電圧発生部を含む。【選択図】図５
2008015516.tif 000002
【特許請求の範囲】
【請求項１】
入力された現在のフレームの映像データを用いて、各ピクセルの最大輝度値を算出するための輝度検出部；
前記輝度検出部によって検出された各ピクセルの最大輝度値を全部加算するための加算部；
前記加算部によって加算された最大輝度値の加算値を用いて、現在のフレームの平均輝度値を算出するための平均値算出部；
所定のガンマ基準電圧加重値の中から、算出された前記平均輝度値に対応して設定されたガンマ基準電圧加重値を算出するためのガンマ加重値算出部；及び
前記ガンマ加重値算出部によって算出された前記ガンマ基準電圧加重値に応じて、ガンマ基準電圧を段階的に可変させるためのガンマ基準電圧発生部；
を含むことを特徴とする有機発光ダイオード表示素子。
【請求項２】
前記輝度検出部は、入力された前記現在のフレームの映像データの階調レベルをピクセル別に分析した後、分析された映像データの階調レベルを用いて、各ピクセルの輝度値を検出することを特徴とする請求項１に記載の有機発光ダイオード表示素子。
【請求項３】
前記輝度検出部は、検出した前記各ピクセルの輝度値の中から、各ピクセルの最大輝度値を算出して前記加算部に出力することを特徴とする請求項２に記載の有機発光ダイオード表示素子。
【請求項４】
前記平均値算出部は、前記最大輝度値の加算値を所定の解像度で除算して、その除算値を現在のフレームの平均輝度値として算出して前記ガンマ加重値算出部に出力することを特徴とする請求項１に記載の有機発光ダイオード表示素子。
【請求項５】
前記ガンマ加重値算出部は、ガンマ基準電圧を保持させるガンマ基準電圧加重値、段階的に増加されるガンマ基準電圧を有するガンマ基準電圧加重値、及び段階的に減少されるガンマ基準電圧を有するガンマ基準電圧加重値、が設定された所定のルックアップテーブルを格納していることを特徴とする請求項１に記載の有機発光ダイオード表示素子。
【請求項６】
前記ガンマ加重値算出部は、算出された前記現在のフレームの平均輝度値と所定の基準輝度値とを比べて、その比較結果に応じて、前記所定のルックアップテーブルに設定されたガンマ基準電圧加重値を算出して、前記ガンマ基準電圧発生部に供給することを特徴とする請求項５に記載の有機発光ダイオード表示素子。
【請求項７】
前記ガンマ加重値算出部は、算出された前記現在のフレームの平均輝度値と前記所定の基準輝度値とが同一である場合には、ガンマ基準電圧を保持させる前記ガンマ基準電圧加重値を前記所定のルックアップテーブルから算出することを特徴とする請求項６に記載の有機発光ダイオード表示素子。
【請求項８】
前記ガンマ基準電圧発生部は、ガンマ基準電圧を保持させる前記ガンマ基準電圧加重値に応じて、現在供給されるガンマ基準電圧のレベルを保持させることを特徴とする請求項７に記載の有機発光ダイオード表示素子。
【請求項９】
前記ガンマ加重値算出部は、算出された前記現在のフレームの平均輝度値が前記所定の基準輝度値より大きい場合には、段階的に減少されるガンマ基準電圧を有する前記ガンマ基準電圧加重値の中から、算出された前記平均輝度値に対応して設定されたガンマ基準電圧加重値を、前記所定のルックアップテーブルから算出することを特徴とする請求項６に記載の有機発光ダイオード表示素子。
【請求項１０】
前記ガンマ基準電圧発生部は、段階的に減少されるガンマ基準電圧を有する前記ガンマ基準電圧加重値の中から、前記ガンマ加重値算出部によって算出されたガンマ基準電圧加重値に応じて供給されるガンマ基準電圧を、段階的に減少させることを特徴とする請求項９に記載の有機発光ダイオード表示素子。
【請求項１１】
前記ガンマ加重値算出部は、算出された前記現在のフレームの平均輝度値が前記所定の基準輝度値より小さい場合には、段階的に増加されるガンマ基準電圧を有する前記ガンマ基準電圧加重値の中から、算出された前記平均輝度値に対応して設定されたガンマ基準電圧加重値を、前記所定のルックアップテーブルから算出することを特徴とする請求項６に記載の有機発光ダイオード表示素子。
【請求項１２】
前記ガンマ基準電圧発生部は、段階的に増加されるガンマ基準電圧を有する前記ガンマ基準電圧加重値の中から、前記ガンマ加重値算出部によって算出されたガンマ基準電圧加重値に応じて供給されるガンマ基準電圧を、段階的に増加させることを特徴とする請求項１１に記載の有機発光ダイオード表示素子。
【請求項１３】
前記ガンマ基準電圧発生部から段階的に可変して供給されるガンマ基準電圧に比例して、アナログデータ電圧を段階的に変換して表示パネル上のデータラインに供給するためのデータ駆動部を更に備え、前記輝度検出部、前記加算部、前記平均値算出部及び前記ガンマ加重値算出部は、前記データ駆動部の駆動タイミングを制御するタイミングコントローラ内に内蔵されることを特徴とする請求項１に記載の有機発光ダイオード表示素子。
【請求項１４】
入力された現在のフレームの映像データを用いて、各ピクセルの最大輝度値を算出する段階；
算出した前記各ピクセルの最大輝度値を全部加算して、各ピクセルの最大輝度値の加算値を算出する段階；
前記最大輝度値の加算値を用いて、現在のフレームの平均輝度値を算出する段階；
所定のガンマ基準電圧加重値の中から、算出された前記平均輝度値に対応して設定されたガンマ基準電圧加重値を算出する段階；及び
算出された前記ガンマ基準電圧加重値に応じて、ガンマ基準電圧を段階的に可変させる段階；
を含む有機発光ダイオード表示素子の駆動方法。
【請求項１５】
前記最大輝度値を算出する段階は、
入力された前記現在のフレームの映像データの階調レベルをピクセル別に分析した後、分析された映像データの階調レベルを用いて、各ピクセルの輝度値を検出することを特徴とする請求項１４に記載の有機発光ダイオード表示素子の駆動方法。
【請求項１６】
前記最大輝度値を算出する段階は、
前記検出した各ピクセルの輝度値の中から、各ピクセルの最大輝度値を算出することを特徴とする請求項１５に記載の有機発光ダイオード表示素子の駆動方法。
【請求項１７】
前記平均輝度値を算出する段階は、
前記最大輝度値の加算値を所定の解像度で除算して、その除算値を現在のフレームの平均輝度値として算出することを特徴とする請求項１４に記載の有機発光ダイオード表示素子の駆動方法。
【請求項１８】
前記ガンマ加重値算出段階は、
ガンマ基準電圧を保持させるガンマ基準電圧加重値、段階的に増加されるガンマ基準電圧を有するガンマ基準電圧加重値、及び段階的に減少されるガンマ基準電圧を有するガンマ基準電圧加重値、が設定された所定のルックアップテーブルから、ガンマ基準電圧加重値を算出することを特徴とする請求項１４に記載の有機発光ダイオード表示素子の駆動方法。
【請求項１９】
前記ガンマ加重値算出段階は、
算出された前記現在のフレームの平均輝度値と所定の基準輝度値とを比べて、その比較結果に応じて、前記所定のルックアップテーブルに設定されたガンマ基準電圧加重値を算出することを特徴とする請求項１８に記載の有機発光ダイオード表示素子の駆動方法。
【請求項２０】
前記ガンマ加重値算出段階は、
算出された前記現在のフレームの平均輝度値と前記所定の基準輝度値とが同一である場合には、ガンマ基準電圧を保持させる前記ガンマ基準電圧加重値を前記所定のルックアップテーブルから算出することを特徴とする請求項１９に記載の有機発光ダイオード表示素子の駆動方法。
【請求項２１】
前記ガンマ基準電圧発生段階は、
ガンマ基準電圧を保持させる前記ガンマ基準電圧加重値に応じて、現在供給されるガンマ基準電圧のレベルを保持させることを特徴とする請求項２０に記載の有機発光ダイオード表示素子の駆動方法。
【請求項２２】
前記ガンマ加重値算出段階は、
前記ガンマ加重値算出部は、算出された前記現在のフレームの平均輝度値が前記所定の基準輝度値より大きい場合には、段階的に減少されるガンマ基準電圧を有する前記ガンマ基準電圧加重値の中から、算出された前記平均輝度値に対応して設定されたガンマ基準電圧加重値を、前記所定のルックアップテーブルから算出することを特徴とする請求項１９に記載の有機発光ダイオード表示素子の駆動方法。
【請求項２３】
前記ガンマ基準電圧発生段階は、
段階的に減少されるガンマ基準電圧を有する前記ガンマ基準電圧加重値の中から、算出されたガンマ基準電圧加重値に応じて供給されるガンマ基準電圧を、段階的に減少させることを特徴とする請求項２２に記載の有機発光ダイオード表示素子の駆動方法。
【請求項２４】
前記ガンマ加重値算出段階は、
算出された前記現在のフレームの平均輝度値が前記所定の基準輝度値より小さい場合には、段階的に増加されるガンマ基準電圧を有する前記ガンマ基準電圧加重値の中から、算出された前記平均輝度値に対応して設定されたガンマ基準電圧加重値を、前記所定のルックアップテーブルから算出することを特徴とする請求項１９に記載の有機発光ダイオード表示素子の駆動方法。
【請求項２５】
前記ガンマ基準電圧発生段階は、
段階的に増加されるガンマ基準電圧を有する前記ガンマ基準電圧加重値の中から、算出されたガンマ基準電圧加重値に応じて供給されるガンマ基準電圧を、段階的に増加させることを特徴とする請求項２４に記載の有機発光ダイオード表示素子の駆動方法。
【発明の詳細な説明】
【技術分野】
【０００１】
本発明は、有機発光ダイオード表示素子に関し、特に、現在のフレームの映像の明るさに応じて、ガンマ基準電圧を段階的に可変させることのできる有機発光ダイオード表示素子及びその駆動方法に関する。
【背景技術】
【０００２】
最近、陰極線管（Ｃａｔｈｏｄｅ  Ｒａｙ  Ｔｕｂｅ）の短所である重量及び体積を減少できる各種の平板表示装置が開発されている。このような平板表示装置としては、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）及びエレクトロ−ルミネセンス（Ｅｌｅｃｔｒｏ−Ｌｕｍｉｎｅｓｃｅｎｃｅ：以下、「ＥＬ」という）表示素子等がある。
【０００３】
このうち、ＥＬ表示素子は、電子と正孔との再結合により蛍光体を発光させる自発光素子として、その蛍光体に無機化合物を使用する無機ＥＬと、有機化合物を使用する有機ＥＬとに大別される。このようなＥＬ表示素子は、低電圧駆動、自己発光、薄膜形、広視野角、速い応答速度及び高コントラスト比等の多くの利点を有しているため、次世代表示装置として注目を浴びている。
【０００４】
有機ＥＬ表示素子は、通常、陰極と陽極との間に積層された電子注入層、電子輸送層、発光層、正孔輸送層、正孔注入層で構成される。このような有機ＥＬ表示素子においては、陽極と陰極との間に所定の電圧を印加する場合、陰極から発生された電子が電子注入層及び電子輸送層を通じて発光層側に移動し、陽極から発生された正孔が正孔注入層及び正孔輸送層を通じて発光層側に移動する。これに従って、発光層においては、電子輸送層と正孔輸送層から供給された電子と正孔とが再結合することにより、光を放出するようになる。
【０００５】
このような有機ＥＬを用いる一般的な有機発光ダイオード表示素子に形成された各ピクセルの回路構成について、図１を参照して説明する。
【０００６】
図１は、一般的な有機発光ダイオード表示素子を構成するピクセルの等価回路図である。
【０００７】
図１において、有機発光ダイオード表示素子の各ピクセルは、ゲートラインＧＬを通じて供給されるスキャンパルスによってターンオンされて、データラインＤＬを通じて供給されるデータ電圧をスイッチングさせるためのスイッチトランジスタＳ＿ＴＲ１と、スイッチトランジスタＳ＿ＴＲ１を通じて供給されるデータ電圧を充電するためのストレージキャパシタＣｓｔと、高電位電源電圧ＶＤＤが印加された電源段から供給される駆動電流によってターンオンされて発光する有機発光ダイオードＯＬＥＤと、スイッチトランジスタＳ＿ＴＲ１を通じて供給されるデータ電圧、あるいはストレージキャパシタＣｓｔの充電電圧によってターンオンされて有機発光ダイオードＯＬＥＤを駆動させるための駆動トランジスタＤ＿ＴＲ１と、を備えている。
【０００８】
スイッチトランジスタＳ＿ＴＲ１は、ゲートラインＧＬに接続されたゲート、データラインＤＬに接続されたドレイン、ストレージキャパシタＣｓｔと駆動トランジスタＤ＿ＴＲ１のゲートとに共通接続されたソース、を有するＮＭＯＳトランジスタである。このようなスイッチトランジスタＳ＿ＴＲ１は、ゲートラインＧＬを通じて供給されるスキャンパルスによってターンオンされて、データラインＤＬを通じて供給されるデータ電圧を、ストレージキャパシタＣｓｔと駆動トランジスタＤ＿ＴＲ１のゲートとに供給する。
【０００９】
ストレージキャパシタＣｓｔは、一側がスイッチトランジスタＳ＿ＴＲ１と駆動トランジスタＤ＿ＴＲ１のゲートに共通接続され、他側が接地に接続されて、スイッチトランジスタＳ＿ＴＲ１を通じて供給されるデータ電圧によって充電される。このようなストレージキャパシタＣｓｔは、スイッチトランジスタＳ＿ＴＲ１を通じて供給されているデータ電圧が駆動トランジスタＤ＿ＴＲ１のゲートに印加されない時点から、自身の充電電圧を放電して、駆動トランジスタＤ＿ＴＲ１のゲート電圧をホルディングする。従って、駆動トランジスタＤ＿ＴＲ１は、スイッチトランジスタＳ＿ＴＲ１を通じて供給されるデータ電圧の供給が中断されても、ストレージキャパシタＣｓｔによるホルディング期間の間は、ストレージキャパシタＣｓｔの充電電圧によってターンオン状態を保持する。ここで、データ電圧が駆動トランジスタＤ＿ＴＲ１のゲートに印加されない時点は、駆動トランジスタＤ＿ＴＲ１のゲート電圧が低くなる時点である。
【００１０】
有機発光ダイオードＯＬＥＤは、高電位電源電圧ＶＤＤが印加された電源段に接続されたアノードと、駆動トランジスタＤ＿ＴＲ１のドレインに接続されたキャソードとを有する。
【００１１】
駆動トランジスタＤ＿ＴＲ１は、スイッチトランジスタＳ＿ＴＲ１のソースとスイッチトランジスタＳ＿ＴＲ１とに共通接続されたゲート、有機発光ダイオードＯＬＥＤのキャソードに接続されたドレイン、接地に接続されたソース、を有するＮＭＯＳトランジスタである。このような駆動トランジスタＤ＿ＴＲ１は、スイッチトランジスタＳ＿ＴＲ１を通じてゲートに供給されるデータ電圧、またはゲートに供給されるスイッチトランジスタＳ＿ＴＲ１の充電電圧によってターンオンされて、有機発光ダイオードＯＬＥＤに流れる駆動電流を接地にスイッチングさせる。これにより、有機発光ダイオードＯＬＥＤは、高電位電源電圧ＶＤＤによって発生される駆動電流により発光する。
【００１２】
このような等価回路を有するピクセルを備える従来の有機発光ダイオード表示素子は、システムから入力された現在のフレームの映像データを分析して、図２Ａ、図２Ｂのような映像の明るさに応じて有機発光ダイオードＯＬＥＤと駆動トランジスタＤ＿ＴＲ１とを駆動させる。
【発明の開示】
【発明が解決しようとする課題】
【００１３】
従来の有機発光ダイオード表示素子は、図２Ａに示すように、システムから入力された現在のフレームの映像が暗い映像であるか、部分的に暗い映像である場合には、所定のピーク（Ｐｅａｋ）輝度を発生するように、有機発光ダイオードＯＬＥＤと駆動トランジスタＤ＿ＴＲ１とを駆動させるので、有機発光ダイオードＯＬＥＤと駆動トランジスタＤ＿ＴＲ１とにダメージ（Ｄａｍａｇｅ）を与えるという課題があった。
【００１４】
更に、従来の有機発光ダイオード表示素子は、図２Ｂに示すように、システムから入力された現在のフレームの映像が明るい映像である場合には、所定の最低輝度を発生するように、有機発光ダイオードＯＬＥＤと駆動トランジスタＤ＿ＴＲ１とを駆動させるので、有機発光ダイオードＯＬＥＤと駆動トランジスタＤ＿ＴＲ１とにダメージ（Ｄａｍａｇｅ）を与えるという課題があった。
【００１５】
本発明は、上記のような課題を解決するためになされたものであり、本発明の目的は、現在のフレームの映像の明るさに応じてガンマ基準電圧を段階的に可変させることのできる有機発光ダイオード表示素子及びその駆動方法を提供することにある。
【００１６】
また、本発明の目的は、現在のフレームの映像の明るさに応じてガンマ基準電圧を段階的に可変させることによって、有機発光ダイオードとその駆動トランジスタに与えるダメージを減少させることのできる有機発光ダイオード表示素子及びその駆動方法を提供することにある。
【課題を解決するための手段】
【００１７】
本発明に係る有機発光ダイオード表示素子は、入力された現在のフレームの映像データを用いて各ピクセルの最大輝度値を算出するための輝度検出部；輝度検出部によって検出された各ピクセルの最大輝度値を全部加算するための加算部；加算部によって加算された最大輝度値の加算値を用いて現在のフレームの平均輝度値を算出するための平均値算出部；所定のガンマ基準電圧加重値の中から、算出された平均輝度値に対応して設定されたガンマ基準電圧加重値を算出するためのガンマ加重値算出部；及びガンマ加重値算出部によって算出されたガンマ基準電圧加重値に応じて、ガンマ基準電圧を段階的に可変させるためのガンマ基準電圧発生部；を含むものである。
【００１８】
また、本発明に係る有機発光ダイオード表示素子は、ガンマ基準電圧発生部から段階的に可変して供給されるガンマ基準電圧に比例して、アナログデータ電圧を段階的に変換して表示パネル上のデータラインに供給するためのデータ駆動部を更に備え、輝度検出部、加算部、平均値算出部及びガンマ加重値算出部は、データ駆動部の駆動タイミングを制御するタイミングコントローラ内に内蔵されるものである。
【００１９】
また、本発明に係る有機発光ダイオード表示素子の駆動方法は、入力された現在のフレームの映像データを用いて、各ピクセルの最大輝度値を算出する段階；算出した各ピクセルの最大輝度値を全部加算して、各ピクセルの最大輝度値の加算値を算出する段階；最大輝度値の加算値を用いて、現在のフレームの平均輝度値を算出する段階；所定のガンマ基準電圧加重値の中から、算出された平均輝度値に対応して設定されたガンマ基準電圧加重値を算出する段階；及び算出されたガンマ基準電圧加重値に応じて、ガンマ基準電圧を段階的に可変させる段階；を含むものである。
【発明の効果】
【００２０】
本発明に係る有機発光ダイオード表示素子及びその駆動方法によれば、システムから入力された現在のフレームの映像の明るさに応じてガンマ基準電圧を段階的に可変させることによって、有機発光ダイオードとその駆動トランジスタに与えるダメージを減少させることができる。
【発明を実施するための最良の形態】
【００２１】
実施の形態１．
以下、添付の図面を参照して、本発明の好ましい実施の形態について詳細に説明する。
【００２２】
図３は、本発明の実施の形態１に係る有機発光ダイオード表示素子の構成図である。
【００２３】
図３において、本発明の有機発光ダイオード表示素子１００は、表示パネル１１０、タイミングコントローラ１２０、ガンマ基準電圧発生部１３０、データ駆動部１４０、及びゲート駆動部１５０を備える。ここで、タイミングコントローラ１２０は、システムから入力された現在のフレームの映像データの駆動タイミングを制御すると共に、現在のフレームの映像の明るさに応じて、ガンマ基準電圧を可変制御する。ガンマ基準電圧発生部１３０は、タイミングコントローラ１２０から出力されたガンマ基準電圧加重値に応じて、ガンマ基準電圧を段階的に可変して供給する。データ駆動部１４０は、タイミングコントローラ１２０からのデータ駆動制御信号ＤＤＣに応じて、ガンマ基準電圧発生部１３０から段階的に可変して供給されるガンマ基準電圧を基準として、タイミングコントローラ１２０から出力されたデジタルデータを、アナログデータ電圧に変換して複数のデータラインＤＬ１〜ＤＬｍに供給する。ゲート駆動部１５０は、タイミングコントローラ１２０からのゲート駆動制御信号に応じて、スキャンパルスをゲートラインＧＬ１〜ＧＬｎに順次供給する。
【００２４】
表示パネル１１０には、複数のデータラインＤＬ１〜ＤＬｍとゲートラインＧＬ１〜ＧＬｎとが直交するように交差して形成される。この交差部には、有機発光ダイオードＯＬＥＤを含むピクセルが形成され、ピクセルには、前述の図１に示すような等価回路が形成される。
【００２５】
タイミングコントローラ１２０は、テレビ受像機またはコンピュータ用モニタ等のシステムから映像データの入力を受けて、デジタルデータをデータ駆動部１４０に供給すると共に、このデータの駆動を制御する。このために、タイミングコントローラ１２０は、システムからのクロック信号ＣＬＫに応じて、システムからの水平／垂直同期信号Ｈ、Ｖを用いて、データ駆動制御信号ＤＤＣ及びゲート駆動制御信号ＧＤＣを発生する。このように発生されたデータ駆動制御信号ＤＤＣは、データ駆動部１４０に供給され、ゲート駆動制御信号ＧＤＣは、ゲート駆動部１５０に供給される。ここで、データ駆動制御信号ＤＤＣは、ソースシフトクロックＳＳＣ、ソーススタートパルスＳＳＰ及びソース出力イネーブル信号ＳＯＥからなる。また、ゲート駆動制御信号ＧＤＣは、ゲートスタートパルスＧＳＰ及びゲート出力イネーブル信号ＧＯＥ等を含む。
【００２６】
また、タイミングコントローラ１２０は、入力された現在のフレームの映像データを用いて各ピクセルの輝度値を検出し、検出した輝度値の中から各ピクセルの最大輝度値を算出する。タイミングコントローラ１２０は、算出された各ピクセルの最大輝度値を全部加算した後、この加算値を用いて現在のフレームの平均輝度値を算出する。タイミングコントローラ１２０は、所定のルックアップテーブルに設定された所定のガンマ基準電圧加重値の中から算出された平均輝度値に対応して設定されたガンマ基準電圧加重値を、算出してガンマ基準電圧発生部１３０に供給する。ここで、所定のルックアップテーブルには、段階的に増加されるガンマ基準電圧を有するガンマ基準電圧加重値、段階的に減少されるガンマ基準電圧を有するガンマ基準電圧加重値、及び増減されないガンマ基準電圧加重値が設定される。例えば、所定のガンマ基準電圧加重値のうち、１つのガンマ基準電圧加重値は、５．１Ｖから５．９Ｖまで、０．１Ｖずつ段階的に増加されるガンマ基準電圧（５．１Ｖ〜５．９Ｖ）である。また、所定のガンマ基準電圧加重値のうち、１つのガンマ基準電圧加重値は、７．９Ｖから７．１Ｖまで、０．１Ｖずつ段階的に減少されるガンマ基準電圧（７．９Ｖ〜７．１Ｖ）である。
【００２７】
ガンマ基準電圧発生部１３０は、タイミングコントローラ１２０からガンマ基準電圧加重値が供給されると、このガンマ基準電圧加重値に応じてデータ駆動部１４０に供給されるガンマ基準電圧を段階的に可変させる。
【００２８】
例えば、現在のフレームの映像が明るい映像である場合、図４Ａに示すように、ガンマ基準電圧発生部１３０は、ガンマ基準電圧加重値に応じて、高いガンマ基準電圧ＧＶ２を段階的に低いガンマ基準電圧ＧＶ１に減少させる。この場合、輝度は、段階的に減少されたガンマ基準電圧に比例して、段階的に減少される。
【００２９】
仮に、現在のフレームの映像が暗い映像である場合、図４Ｂに示すように、ガンマ基準電圧発生部１３０は、ガンマ基準電圧加重値に応じて、低いガンマ基準電圧ＧＶ１を、段階的に高いガンマ基準電圧ＧＶ２に増加させる。この場合、輝度は、段階的に増加されたガンマ基準電圧に比例して、段階的に増加される。
【００３０】
データ駆動部１４０は、タイミングコントローラ１２０から供給されるデータ駆動制御信号ＤＤＣに応じて、タイミングコントローラ１２０からのデジタルデータを、アナログデータ電圧に変換してデータラインＤＬ１〜ＤＬｍに供給する。ここで、データ駆動部１４０は、ガンマ基準電圧発生部１３０から段階的に可変して供給されるガンマ基準電圧を基準として変換されたアナログデータ電圧を、段階的に増加あるいは減少させて、複数のデータラインＤＬ１〜ＤＬｍに供給する。
【００３１】
一例として、ガンマ基準電圧発生部１３０から供給されるガンマ基準電が段階的に増加されると、データ駆動部１４０は、段階的に増加されるガンマ基準電圧に応じて変換されたアナログデータ電圧を段階的に増加させて、複数のデータラインＤＬ１〜ＤＬｍに供給する。
【００３２】
他の例として、ガンマ基準電圧発生部１３０から供給されるガンマ基準電が段階的に減少されると、データ駆動部１４０は、段階的に減少されるガンマ基準電圧に応じて変換されたアナログデータ電圧を段階的に減少させて、複数のデータラインＤＬ１〜ＤＬｍに供給する。
【００３３】
また、他の例として、ガンマ基準電圧発生部１３０から供給されるガンマ基準電が可変されない場合には、データ駆動部１４０は、一定のガンマ基準電圧に応じて変換されたアナログデータ電圧を、可変せずに複数のデータラインＤＬ１〜ＤＬｍに供給する。
【００３４】
ゲート駆動部１５０は、タイミングコントローラ１２０から供給されるゲート駆動制御信号ＧＤＣとゲートシフトクロックＧＳＣとに応じて、スキャンパルスをゲートラインＧＬ１〜ＧＬｎに順次供給する。
【００３５】
図５は、図３内のタイミングコントローラを示すブロック構成図である。
【００３６】
図５において、タイミングコントローラ１２０は、輝度検出部１２１、加算部１２２、平均値算出部１２３、ガンマ加重値算出部１２４、及びガンマ加重値供給部１２５を備えている。ここで、輝度検出部１２１は、入力された現在のフレームの映像データを用いて各ピクセルの輝度値を検出し、検出した輝度値の中から各ピクセルの最大輝度値を算出する。加算部１２２は、輝度検出部１２１によって検出された各ピクセルの最大輝度値を全部加算する。平均値算出部１２３は、加算部１２２によって加算された最大輝度値の加算値を用いて、現在のフレームの平均輝度値を算出する。ガンマ加重値算出部１２４は、所定のガンマ基準電圧加重値の中から算出された平均輝度値に対応して設定されたガンマ基準電圧加重値を算出する。ガンマ加重値供給部１２５は、ガンマ加重値算出部１２４によって算出されたガンマ基準電圧加重値を、ガンマ基準電圧発生部１３０に供給する。
【００３７】
輝度検出部１２１は、システムから入力された現在のフレームの映像データの階調レベルをピクセル別に分析した後、分析された映像データの階調レベルを用いて各ピクセルのＲＧＢ輝度値を検出する。ここで、映像データがＲＧＢデータである場合には、輝度検出部１２１は各ピクセルのＲＧＢデータの階調レベルを分析した後、分析されたＲＧＢデータの階調レベルを用いて各ピクセルのＲＧＢ輝度値を検出する。このように輝度値が検出されると、輝度検出部１２１は、各ピクセルのＲＧＢ輝度値の中から最大輝度値を算出して、各ピクセルの最大輝度値を加算部１２２に出力する。
【００３８】
加算部１２２は、輝度検出部１２１によって検出された各ピクセルの最大輝度値を全部加算して、最大輝度値の加算値を平均値算出部１２３に出力する
【００３９】
平均値算出部１２３は、加算部１２２から入力された最大輝度値の加算値を所定の解像度で除算して、その除算値を現在のフレームの平均輝度値として算出してガンマ加重値算出部１２４に出力する。ここで、現在のフレームの平均輝度値は、各ピクセルの平均輝度値である。
【００４０】
ガンマ加重値算出部１２４は、平均値算出部１２３によって算出された現在のフレームの平均輝度値と所定の基準輝度値とを比べて、その比較結果に応じて、所定のルックアップテーブルに設定されたガンマ基準電圧加重値を算出する。
【００４１】
比較結果に応じて算出された現在のフレームの平均輝度値と所定の基準輝度値とが同一である場合には、ガンマ加重値算出部１２４は、現在のガンマ基準電圧を保持させるガンマ基準電圧加重値を、所定のルックアップテーブルから算出する。
【００４２】
比較結果に応じて算出された現在のフレームの平均輝度値が所定の基準輝度値より大きい場合には、ガンマ加重値算出部１２４は、所定のルックアップテーブルに設定されたガンマ基準電圧加重値の中から、段階的に減少されるガンマ基準電圧を有するガンマ基準電圧加重値を参照して、算出された平均輝度値に対応して設定されたガンマ基準電圧加重値を算出する。この際、算出されたガンマ基準電圧加重値は、段階的に減少されるガンマ基準電圧として、明るい映像において輝度を段階的に減少させるように、ガンマ基準電圧を段階的に減少させることに用いられる。
このように、本発明の実施の形態１によれば、明るい映像において、ガンマ基準電圧加重値に応じて段階的にガンマ基準電圧を減少させることによって、有機発光ダイオードとその駆動トランジスタに与えるダメージを減少させることができる。
【００４３】
比較結果に応じて算出された現在のフレームの平均輝度値が所定の基準輝度値より小さい場合には、ガンマ加重値算出部１２４は、所定のルックアップテーブルに設定されたガンマ基準電圧加重値の中から、段階的に増加されるガンマ基準電圧を有するガンマ基準電圧加重値を参照して、算出された平均輝度値に対応して設定されたガンマ基準電圧加重値を算出する。この際、算出されたガンマ基準電圧加重値は、段階的に増加されるガンマ基準電圧として、暗い映像において輝度を段階的に増加させるように、ガンマ基準電圧を段階的に増加させることに用いられる。
このように、本発明の実施の形態１によれば、暗い映像において、ガンマ基準電圧加重値に応じて段階的にガンマ基準電圧を増加させることによって、有機発光ダイオードとその駆動トランジスタに与えるダメージを減少させることができる。
【００４４】
ガンマ加重値供給部１２５は、ガンマ加重値算出部１２４によって算出されたガンマ基準電圧加重値を、ガンマ基準電圧発生部１３０に供給する。
【００４５】
以上のように、本発明の実施の形態１によれば、システムから入力された現在のフレームの映像の明るさに応じて、ガンマ基準電圧を段階的に可変させることにより、有機発光ダイオードとその駆動トランジスタとに与えるダメージを減少させることができる。
【００４６】
本発明の技術思想は、上記実施の形態１によって具体的に技術されたが、上記実施の形態１は、本発明の技術思想の説明のためのものであり、本発明の技術思想を制限するものではないことに注意すべきである。更に、本発明の技術分野においての通常の専門家であれは、本発明の技術思想の範囲で多様な実施の形態が可能であるということが分かるはずである。
【図面の簡単な説明】
【００４７】
【図１】一般的な有機発光ダイオード表示素子を構成するピクセルの等価回路図である。
【図２Ａ】一般的な有機発光ダイオード表示素子に示される映像の特性図である。
【図２Ｂ】一般的な有機発光ダイオード表示素子に示される映像の特性図である。
【図３】本発明の実施の形態１に係る有機発光ダイオード表示素子を示すブロック構成図である。
【図４Ａ】本発明の実施の形態１に係る有機発光ダイオード表示素子の駆動特性図である。
【図４Ｂ】本発明の実施の形態１に係る有機発光ダイオード表示素子の駆動特性図である。
【図５】図３内のタイミングコントローラを示すブロック構成図である。
【符号の説明】
【００４８】
１１０：表示パネル                  １２０：タイミングコントローラ
１２１：輝度検出部                  １２２：加算部
１２３：平均値算出部                １２４：ガンマ加重値算出部
１３０：ガンマ基準電圧発生部        １４０：データ駆動部
１５０：ゲート駆動部
【図１】
2008015516.tif 000003
【図２Ａ】
2008015516.tif 000004
【図２Ｂ】
2008015516.tif 000005
【図３】
2008015516.tif 000006
【図４Ａ】
2008015516.tif 000007
【図４Ｂ】
2008015516.tif 000008
【図５】
2008015516.tif 000009